(57)【要約】  撮像部と、表示部と、前記表示部における表示に付随して操作を行う操作部と、複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶される記憶部と、前記撮像部により撮像された前記警報窓を前記表示部に表示すると共に、点灯している前記点灯部の表示上の位置を選択可能とし、前記操作部により点灯している前記点灯部の表示上の位置が選択された場合に当該点灯部に対応する前記項目の手順情報を前記記憶部から読み出して前記表示部に表示する制御部と、を備える。
2016189954.tif 000002
【特許請求の範囲】
【請求項１】
撮像部と、
表示部と、
前記表示部における表示に付随して操作を行う操作部と、
複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶される記憶部と、
前記撮像部により撮像された前記警報窓を前記表示部に表示すると共に、点灯している前記点灯部の表示上の位置を選択可能とし、前記操作部により点灯している前記点灯部の表示上の位置が選択された場合に当該点灯部に対応する前記項目の手順情報を前記記憶部から読み出して前記表示部に表示する制御部と、
を備える、運転支援装置。
【請求項２】
前記制御部は、前記操作部の操作に基づき、前記表示部における前記撮像部により撮像した前記警報窓の表示、および点灯している前記点灯部の表示上の位置の選択を固定する、請求項１に記載の運転支援装置。
【請求項３】
前記制御部は、前記操作部の操作により前記表示部に表示された前記手順情報への表示上の入力を可能とし、当該入力情報を前記記憶部に記憶する、請求項１または２に記載の運転支援装置。
【請求項４】
音声入力部をさらに備え、
前記制御部は、点灯した前記点灯部に対応する称呼を前記音声入力部により入力した場合、当該点灯部に対応する前記項目の手順情報を前記記憶部から読み出して前記表示部に表示する、請求項１から３のいずれか１つに記載の運転支援装置。
【請求項５】
前記警報窓における前記点灯部の点灯の複数の配置パターン、各前記配置パターンに対応する各事象、および各前記事象に対応する各事象手順情報が前記記憶部に予め記憶されており、
前記制御部は、前記撮像部により撮像した前記警報窓における前記点灯部の点灯の配置パターンと、前記操作部の操作に基づき選択された配置パターンとが一致した場合、前記配置パターンの事象に対応する事象手順情報を前記記憶部から読み出して前記表示部に表示する、請求項１から４のいずれか１つに記載の運転支援装置。
【請求項６】
前記警報窓における前記点灯部の点灯の複数の配置パターンに対応する各事象、および各前記事象に対応する各事象手順情報が前記記憶部に予め記憶されており、
前記制御部は、前記警報窓における前記点灯部の点灯の配置パターンから当該配置パターンに対応する事象を判定し、判定された事象に対応する事象手順情報を前記記憶部から読み出して前記表示部に表示する、請求項１から４のいずれか１つに記載の運転支援装置。
【請求項７】
前記警報窓の近傍に基準位置印が設けられており、
前記制御部は、前記撮像部により撮像された基準位置印に基づき前記警報窓を特定し、当該警報窓における前記点灯部の表示上の位置を選択可能とする、請求項１から６のいずれか１つに記載の運転支援装置。
【請求項８】
前記警報窓と前記撮像部との相互位置を検出する位置検出部をさらに備え、
前記制御部は、前記位置検出部による相互位置の検出に基づき前記警報窓を特定し、当該警報窓における前記点灯部の表示上の位置を選択可能とする、請求項１から６のいずれか１つに記載の運転支援装置。
【請求項９】
可搬式端末として一体であることを特徴とする、請求項１から８のいずれか１つに記載の運転支援装置。
【請求項１０】
前記表示部は、前記操作部を一体としたタッチパネルである、請求項１から９のいずれか１つに記載の運転支援装置。
【請求項１１】
複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶部に記憶されており、
撮像部により撮像された前記警報窓を表示部に表示することと、
前記点灯部の表示上の位置を選択可能とし、点灯している前記点灯部の表示上の位置が選択された場合に当該点灯部に対応する前記項目の手順情報を前記記憶部から読み出して前記表示部に表示することと、
を含む、運転支援方法。
【発明の詳細な説明】
【技術分野】
【０００１】
本発明は、警報窓に表示された複数の項目ごとに対応する設備の運転情報を取得する運転支援装置および運転支援方法に関するものである。
【背景技術】
【０００２】
従来、例えば、特許文献１にはプラント異常時復旧支援システムが示されている。この特許文献１では、以下の課題が示されている。原子力発電所などのプラントなどにおいて、プラント監視・制御装置は、プラント内に異常が発生すると、制御室などに設置されているアニシエータ（集約警報表示装置）の対応する警報窓を点灯させて集約警報を行い、運転員にプラントの異常を知らせる。この集約警報によって運転員が故障対応マニュアル書を取り出し、このマニュアル書に従い異常に対する処置を行う。しかし、故障対応マニュアルなどの書類は、大量のバインダーに閉じられており、大型発電所などの場合、運転マニュアルのバインダーは十数冊にものぼる。従って、故障時の対応について、運転員および復旧作業員は定期的にシミュレータなどで訓練を行なっているとはいえ、異常時における運転員および復旧作業員の負担は大変なものである。【０００３】
そこで、特許文献１のプラント異常時復旧支援システムは、故障原因信号を入力する入力回路と、所定の情報を故障原因信号の状態に基づき警報処理をする制御回路と、制御回路からの警報表示信号を出力回路経由で入力し、各故障原因信号に対応した個別の警報表示を行う表示装置と、各故障原因を集約して表示する集約警報表示論理回路と、発生した警報に対する対応操作が収納されている故障時復旧方法を示すフローチャートデータベースと、発生した警報に基づき、フローチャートデータベース内の故障時復旧方法フローチャート情報を表示装置へ表示させる故障時復旧方法フローチャート表示論理回路と、を具備する。【０００４】
なお、プラントに関連性はないが、例えば、特許文献２の情報処理装置では、ユーザの入力操作に応じて、ディスプレイにコンテンツのガイドを表示することが示されている。コンテンツのガイドは、画像、音声、動画、および作品に関する地図などの付帯情報を含む。コンテンツの展示者は、展示対象の各作品とともに、ＡＲマーカを設置する。ＡＲマーカは、各作品で共通のものが設置される。情報処理装置は、ユーザの入力操作などに応じて、ディスプレイに表示すべきコンテンツを特定し、特定したコンテンツのガイド用の音声データ等を再生する。情報処理装置は、ＡＲ処理を開始する操作をユーザから受け付けて、撮影画像データからＡＲマーカを検出すると、ＡＲデータをディスプレイに表示する。【０００５】
また、プラントに関連性はないが、例えば、特許文献３の情報処理装置では、入力画像を取得し、入力画像から基準物を認識し、次に該基準物と前記入力画像の撮像位置との位置関係を示す位置情報を算出し、前記位置情報に応じた表示情報を選択し、表示情報に対応する表示画像を生成して、表示画像を表示する。
【先行技術文献】
【特許文献】
【０００６】
【特許文献１】特開平１０−３１９１８０号公報
【特許文献２】特開２０１５−１１３６０号公報
【特許文献３】特開２０１５−２２７３７号公報
【発明の概要】
【発明が解決しようとする課題】
【０００７】
上述した特許文献１においては、プラント異常時復旧支援システムによれば、発生した警報に対する対応方法の情報、つまり作業手順のフローチャートが表示手段に自動表示されるので、従来のように紙面に書かれている故障対応手順書をめくる必要が無くなり、迅速な操作が可能となる、と記載されている。【０００８】
しかし、例えば、フローチャートの基となる集約警報が警報窓の複数項目の点灯からなるものであって、点灯した個々の項目における対応手順などの情報からフローチャートを確認したい場合は、紙面に書かれている故障対応手順書をめくる必要がある。つまり、上述した特許文献１のプラント異常時復旧支援システムは、フローチャートで示される以外の手順については紙面の手順書を確認しなければならない。【０００９】
本発明は、上述した課題を解決するものであり、警報窓における複数の項目ごとに対応する情報を容易に取得することのできる運転支援装置および運転支援方法を提供することを目的とする。
【課題を解決するための手段】
【００１０】
上記の目的を達成するための本発明の一態様に係る運転支援装置は、撮像部と、表示部と、前記表示部における表示に付随して操作を行う操作部と、複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶される記憶部と、前記撮像部により撮像された前記警報窓を前記表示部に表示すると共に、点灯している前記点灯部の表示上の位置を選択可能とし、前記操作部により点灯している前記点灯部の表示上の位置が選択された場合に当該点灯部に対応する前記項目の手順情報を前記記憶部から読み出して前記表示部に表示する制御部と、を備える。【００１１】
この運転支援装置によれば、警報窓における複数の項目ごとに対応する情報を容易に取得することができる。この結果、警報窓における複数の項目ごとに対応する情報を確認することができ、設備の運転の支援を円滑に行うことができる。【００１２】
本発明の一態様に係る運転支援装置では、前記制御部は、前記操作部の操作に基づき、前記表示部における前記撮像部により撮像した前記警報窓の表示、および点灯している前記点灯部の表示上の位置の選択を固定することが好ましい。【００１３】
この運転支援装置によれば、警報窓を撮像部により撮像し続けなくても、表示部で表示している警報窓において点灯している点灯部の選択をすることができる。【００１４】
本発明の一態様に係る運転支援装置では、前記制御部は、前記操作部の操作により前記表示部に表示された前記手順情報への表示上の入力を可能とし、当該入力情報を前記記憶部に記憶することが好ましい。【００１５】
この運転支援装置によれば、手順情報への入力により手順を実施した確認などをすることができ、これを保存することができる。【００１６】
本発明の一態様に係る運転支援装置では、音声入力部をさらに備え、前記制御部は、点灯した前記点灯部に対応する称呼を前記音声入力部により入力した場合、当該点灯部に対応する前記項目の手順情報を前記記憶部から読み出して前記表示部に表示することが好ましい。【００１７】
この運転支援装置によれば、音声の入力により、警報窓における複数の項目ごとに対応する情報を迅速に取得することができる。この結果、設備の運転の支援をより円滑に行うことができる。【００１８】
本発明の一態様に係る運転支援装置では、前記警報窓における前記点灯部の点灯の複数の配置パターン、各前記配置パターンに対応する各事象、および各前記事象に対応する各事象手順情報が前記記憶部に予め記憶されており、前記制御部は、前記撮像部により撮像した前記警報窓における前記点灯部の点灯の配置パターンと、前記操作部の操作に基づき選択された配置パターンとが一致した場合、前記配置パターンの事象に対応する事象手順情報を前記記憶部から読み出して前記表示部に表示することが好ましい。【００１９】
この運転支援装置によれば、点灯部の点灯の配置パターンから、当該配置パターンに対応する事象を選択して一致させ、一致した事象に対応する事象手順書を表示部に表示させることができる。この結果、各事象の事象手順書を迅速に取得することができ、設備の運転の支援を円滑に行うことができる。【００２０】
本発明の一態様に係る運転支援装置では、前記警報窓における前記点灯部の点灯の複数の配置パターンに対応する各事象、および各前記事象に対応する各事象手順情報が前記記憶部に予め記憶されており、前記制御部は、前記警報窓における前記点灯部の点灯の配置パターンから当該配置パターンに対応する事象を判定し、判定された事象に対応する事象手順情報を前記記憶部から読み出して前記表示部に表示することが好ましい。【００２１】
この運転支援装置によれば、点灯部の点灯の配置パターンから、当該配置パターンに対応する事象を自動的に判定し、判定した事象に対応する事象手順書を表示部に表示させることができる。この結果、各事象の事象手順書を迅速に取得することができ、設備の運転の支援を円滑に行うことができる。【００２２】
本発明の一態様に係る運転支援装置では、前記警報窓の近傍に基準位置印が設けられており、前記制御部は、前記撮像部により撮像された基準位置印に基づき前記警報窓を特定し、当該警報窓における前記点灯部の表示上の位置を選択可能とすることが好ましい。【００２３】
この運転支援装置によれば、撮像した警報窓を特定することができる。【００２４】
本発明の一態様に係る運転支援装置では、前記警報窓と前記撮像部との相互位置を検出する位置検出部をさらに備え、前記制御部は、前記位置検出部による相互位置の検出に基づき前記警報窓を特定し、当該警報窓における前記点灯部の表示上の位置を選択可能とすることが好ましい。【００２５】
この運転支援装置によれば、撮像した警報窓を特定することができる。【００２６】
本発明の一態様に係る運転支援装置では、可搬式端末として一体であることが好ましい。【００２７】
この運転支援装置によれば、装置を可搬して使用することで、制御室内を移動しつつ設備の運転の支援を行うことができる。【００２８】
本発明の一態様に係る運転支援装置では、前記表示部は、前記操作部を一体としたタッチパネルであることが好ましい。【００２９】
この運転支援装置によれば、表示上の操作を容易に行うことができる。【００３０】
本発明の一態様に係る運転支援方法は、複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶部に記憶されており、撮像部により撮像された前記警報窓を表示部に表示することと、前記点灯部の表示上の位置を選択可能とし、点灯している前記点灯部の表示上の位置が選択された場合に当該点灯部に対応する前記項目の手順情報を前記記憶部から読み出して前記表示部に表示することと、を含む。【００３１】
この運転支援方法によれば、警報窓における複数の項目ごとに対応する情報を容易に取得することができる。この結果、警報窓における複数の項目ごとに対応する情報を確認することができ、設備の運転の支援を円滑に行うことができる。
【発明の効果】
【００３２】
本発明によれば、警報窓における複数の項目ごとに対応する情報を容易に取得することができる。
【図面の簡単な説明】
【００３３】
【図１】図１は、プラント設備の制御盤の例を表す斜視図である。
【図２】図２は、制御盤の警報窓の例を表す概略図である。
【図３】図３は、本発明に係る実施形態の運転支援装置の構成図である。
【図４】図４は、本発明に係る実施形態の運転支援方法を表すフローチャートである。
【図５】図５は、本発明に係る実施形態の運転支援装置における表示例を表す概略図である。
【図６】図６は、本発明に係る実施形態の運転支援装置における表示例を表す概略図である。
【図７】図７は、本発明に係る実施形態の運転支援装置における表示例を表す概略図である。
【図８】図８は、本発明に係る実施形態の運転支援装置における表示例を表す概略図である。
【図９】図９は、本発明に係る実施形態の運転支援装置の他の例の構成図である。
【図１０】図１０は、本発明に係る実施形態の運転支援装置における表示例を表す概略図である。
【図１１】図１１は、本発明に係る実施形態の運転支援装置における表示例を表す概略図である。
【図１２】図１２は、本発明に係る実施形態の運転支援装置における表示例を表す概略図である。
【図１３】図１３は、本発明に係る実施形態の運転支援装置における表示例を表す概略図である。
【発明を実施するための形態】
【００３４】
以下に添付図面を参照して、本発明に係る運転支援装置および運転支援方法の好適な実施形態を詳細に説明する。なお、この実施形態により本発明が限定されるものではなく、また、実施形態が複数ある場合には、各実施形態を組み合わせて構成するものも含むものである。
【００３５】
図１は、プラント設備の制御盤の例を表す斜視図である。図２は、制御盤の警報窓の例を表す概略図である。
【００３６】
図１に示すような制御盤１００は、例えば、原子力発電所や火力発電所などのプラント設備の制御室に設置される。この種のプラント設備に用いられる制御盤１００は、その上部にプラント設備の運転状況を報知するための警報窓１０１が設けられている。
【００３７】
警報窓１０１は、図２に示すように、複数の点灯部１０１ａが並んで設けられている。各点灯部１０１ａは、その表面に警報内容などの項目（本実施形態では、Ａ−１からＦ−１０の記号で示す）がそれぞれ記載され、内蔵されたランプが点灯することで項目を明示するように構成されている。
【００３８】
また、本実施形態の警報窓１０１は、その近辺に基準位置印１０１ｂが設けられている。基準位置印１０１ｂは、例えば、二次元バーコードであり、本実施形態の運転支援装置の構成の一部に含まれる。
【００３９】
図３は、本実施形態の運転支援装置の構成図である。図５から図８は、本実施形態の運転支援装置における表示例を表す概略図である。
【００４０】
図３に示すように、運転支援装置は、例えば、コンピュータであり、撮像部１と、表示部２と、操作部３と、記憶部４と、制御部５と、を備える。また、運転支援装置は、ドライブ装置８を備えていてもよい。
【００４１】
撮像部１は、いわゆるカメラであって、向けられた先を撮像するためのものである。
【００４２】
表示部２は、各種表示を行うもので、本実施形態では撮像部１で撮像した映像を表示する。
【００４３】
操作部３は、表示部２における表示に付随して操作を行うものである。本実施形態では、操作部３は、表示部２がタッチパネルとして構成されており一体とされている。表示部２がタッチパネルとして構成されており操作部３と一体とされていることで、表示上の操作を容易に行うことができる。なお、操作部３は、その他、マウスやキーボードなどから構成されるものであってもよい。
【００４４】
記憶部４は、ＲＯＭやＲＡＭのようなメモリおよびストレージを含む。記憶部４は、位置情報および手順情報が予め記憶されている。位置情報は、警報窓１０１について、各点灯部１０１ａの配置と各項目とを関連付けた情報である。手順情報は、各点灯部１０１ａに対応する各項目の対応手順であって、例えば、従前ファイリングされている手順書のテキストデータまたはスキャンデータである。
【００４５】
制御部５は、ＣＰＵ（Central  Processing  Unit）のようなマイクロプロセッサを含む。制御部５は、撮像部１により撮像された映像を表示部２に表示させたり、当該表示部２の表示に基づき表示されている映像を特定したり、操作部３による操作に基づき記憶部４に記憶されている情報を読み出して表示部２へ表示を行ったりするものである。
【００４６】
具体的に、制御部５は、図４に示す運転支援方法を実行する。図５に示すように、撮像部１により撮像された警報窓１０１を表示部２に表示する（図４のステップＳ１）。また、制御部５は、図５に示すように、警報窓１０１と共に撮像部１に撮像された基準位置印１０１ｂから、警報窓１０１を特定する（図４のステップＳ２）。また、制御部５は、点灯している点灯部１０１ａ（図では、項目Ｂ−１，Ｂ−４，Ｃ−１，Ｄ−２，Ｄ−４，Ｅ−４，Ｅ−８，Ｆ−４）の表示上の位置を選択可能とする（図４のステップＳ３）。点灯部１０１ａの表示上の位置を選択可能とする場合、例えば、図５に示すように、点灯している点灯部１０１ａの表示上の位置に点灯部１０１ａを囲むように指標である枠を表示する。指標は枠に限らない。また、制御部５は、点灯する点灯部１０１ａの指標が操作部３により選択（例えば、項目Ｂ−１）された場合（図４のステップＳ４：Ｙｅｓ）、図６に示すように、選択された点灯部１０１ａに対応する項目の手順情報（手順書１１）を記憶部４から読み出して表示部２に表示する（図４のステップＳ５）。なお、表示部２に表示された手順書１１は、図６に示す取消ボタン１１ａを操作部３により選択することで消して図５に示す表示状態に戻すことができる。
【００４７】
ドライブ装置８は、運転支援装置の動作を実行させるためのプログラムなどのデータが記録された記録媒体９からデータを読み出す。記録媒体９は、ＣＤ−ＲＯＭ、フレキシブルディスク、光磁気ディスクなどのように情報を光学的，電気的或いは磁気的に記録する記録媒体、ＲＯＭ、フラッシュメモリなどの様に情報を電気的に記録する半導体メモリなど、様々なタイプの記録媒体を用いることができる。
【００４８】
このように、本実施形態の運転支援装置は、警報窓１０１を撮像部１により撮像した映像を表示部２に表示させ、当該表示部２に表示されている警報窓１０１において点灯している点灯部１０１ａを操作部３により選択された場合、選択された点灯部１０１ａに対応する項目の手順書１１を表示部２に表示する。
【００４９】
この運転支援装置によれば、プラント設備に設置された警報窓１０１における複数の項目ごとに対応する情報を容易に取得することができる。この結果、警報窓１０１における複数の項目ごとに対応する情報を確認することができ、プラント設備の運転の支援を円滑に行うことができる。
【００５０】
なお、本実施形態では、点灯している点灯部１０１ａを選択可能にしているが、点灯していない点灯部１０１ａも選択可能にしてもよい。また、指標は、表示しなくてもよく、表示上の点灯部１０１ａを操作部３により選択することで当該点灯部１０１ａに対応する項目の手順書１１を表示するようにしてもよい。
【００５１】
なお、上述した実施形態では、警報窓１０１と共に撮像部１に撮像された基準位置印１０１ｂから警報窓１０１を特定しているが、これに限らない。例えば、運転支援装置は、基準位置印１０１ｂに換えて警報窓１０１と撮像部１との相互位置を検出する位置検出部を備える。位置検出部は、例えば、赤外線センサなどがある。そして、制御部５は、位置検出部による相互位置の検出に基づき警報窓１０１を特定する。さらに、制御部５は、当該警報窓１０１における点灯部１０１ａの表示上の位置を選択可能とする。従って、基準位置印１０１ｂや位置検出部により、撮像部１により撮像した警報窓１０１を特定することができる。
【００５２】
ところで、本実施形態の運転支援装置では、制御部５は、図５に示すように、撮像部１により撮像された警報窓１０１を表示部２に表示し、警報窓１０１と共に撮像部１に撮像された基準位置印１０１ｂから警報窓１０１を特定して点灯している点灯部１０１ａの表示上の位置を選択可能とした場合、図７に示すように、表示部２に固定ボタン１２を表示させる。そして、制御部５は、操作部３により固定ボタン１２が選択された場合、図５の表示を固定化する。即ち、制御部５は、操作部３により固定ボタン１２が選択された場合、警報窓１０１の表示、および点灯している点灯部１０１ａの表示上の指標を固定する。
【００５３】
この運転支援装置によれば、警報窓１０１を撮像部１により撮像し続けなくても、表示部２で表示している警報窓１０１において点灯している点灯部１０１ａの選択をすることができる。
【００５４】
また、本実施形態の運転支援装置では、制御部５は、図６に示すように、手順書１１を表示している状態において、操作部３の操作により表示部２に表示された手順書１１への表示上の入力を可能とする。そして、制御部５は、図８に示すように、操作部３により手順書１１への表示上の入力がされた場合、保存ボタン１３を表示部２に表示させる。さらに、制御部５は、操作部３により保存ボタン１３が選択された場合、入力された手順書１１の手順情報を記憶部４に記憶する。記憶された手順書１１の手順情報は、入力のない手順書１１の手順情報とは別に記憶され、例えば、入力日時や入力者の識別コードの入力などにより必要に応じて記憶部４から読み出すことができる。
【００５５】
この運転支援装置によれば、手順情報への入力により手順を実施した確認などをすることができ、これを保存することができる。
【００５６】
図９は、本実施形態の運転支援装置の他の例の構成図である。
【００５７】
本実施形態の運転支援装置は、図９に示すように、音声入力部６をさらに備える。音声入力部６は、いわゆるマイクであって、音声を入力するものである。
【００５８】
プラント設備の制御室では、警報窓１０１の点灯部１０１ａが点灯した場合、当該点灯部１０１ａに対応する項目を称呼している。制御部５は、図５に示すように、撮像部１により撮像された警報窓１０１を表示部２に表示し、警報窓１０１と共に撮像部１に撮像された基準位置印１０１ｂから警報窓１０１を特定して点灯している点灯部１０１ａの表示上の位置を選択可能とした場合、図７に示すように、表示部２に固定ボタン１２を表示させる。そして、制御部５は、点灯した点灯部１０１ａに対応する称呼を音声入力部６により入力した場合、点灯部１０１ａの表示上の位置を選択しなくても、図６に示すように、当該点灯部１０１ａに対応する項目の手順書１１を記憶部４から読み出して表示部２に表示する。
【００５９】
この運転支援装置によれば、音声の入力により、プラント設備に設置された警報窓１０１における複数の項目ごとに対応する情報を迅速に取得することができる。この結果、プラント設備の運転の支援をより円滑に行うことができる。
【００６０】
なお、音声の入力により手順書１１を表示した後は、上述した実施形態と同様に、手順書１１への入力や保存を行うことができる。
【００６１】
図１０および図１１は、本実施形態の運転支援装置における表示例を表す概略図である。
【００６２】
警報窓１０１は、複数の点灯部１０１ａが点灯する場合、その組み合わせにより対象となる事象を特定することができる。各点灯部１０１ａは位置が決まっているため、点灯する点灯部１０１ａの配置パターンにより対象となる事象が特定できる。
【００６３】
本実施形態の運転支援装置では、警報窓１０１における点灯部１０１ａの点灯の複数の配置パターン、当該各配置パターンに対応する各事象、および各事象に対応する事象対応手順書である各事象手順情報が記憶部４に予め記憶されている。
【００６４】
制御部５は、上述したように撮像部１により警報窓１０１を撮像して表示部２に表示する。そして、制御部５は、図１０および図１１に示すように、各事象に対応する各事象ボタン１４を表示部２に表示する。そして、制御部５は、操作部３により事象ボタン１４が任意に選択された場合、図１０や図１１に示すように、その事象ボタン１４に対応する配置パターンを表示部２の表示上に点灯部１０１ａに合わせて表示する。図１０および図１１では、選択された事象ボタン１４に対応する配置パターンが点灯部１０１ａを太線の枠で明示しており、図１０では選択された事象ボタン１４に対応する配置パターンが点灯している点灯部１０１ａと一致していない。一方、図１１では、選択された事象ボタン１４に対応する配置パターンが点灯している点灯部１０１ａと一致している。制御部５は、図１１に示すように、選択された事象ボタン１４に対応する配置パターンが点灯している点灯部１０１ａと一致した場合、当該配置パターンの事象に対応する事象手順書（図示せず）を記憶部４から読み出して表示部２に表示する。
【００６５】
この運転支援装置によれば、点灯部１０１ａの点灯の配置パターンから、当該配置パターンに対応する事象を選択して一致させ、一致した事象に対応する事象手順書を表示部２に表示させることができる。この結果、各事象の事象手順書を迅速に取得することができ、プラント設備の運転の支援を円滑に行うことができる。
【００６６】
また、運転支援装置は、事象ボタン１４を表示しなくても、自動的に点灯部１０１ａの点灯の配置パターンから、当該配置パターンに対応する事象を判定し、当該事象に対応する事象手順書を表示部２に表示させることも可能である。
【００６７】
この場合、記憶部４は、警報窓１０１における点灯部１０１ａの点灯の複数の配置パターンに対応する各事象、および各事象に対応する各事象手順情報が予め記憶されている。そして、制御部５は、警報窓１０１における点灯部１０１ａの点灯の配置パターンから、当該配置パターンに対応する事象を判定し、判定された事象に対応する事象手順書を記憶部４から読み出して表示部２に表示する。
【００６８】
この運転支援装置によれば、点灯部１０１ａの点灯の配置パターンから、当該配置パターンに対応する事象を自動的に判定し、判定した事象に対応する事象手順書を表示部２に表示させることができる。この結果、各事象の事象手順書を迅速に取得することができ、プラント設備の運転の支援を円滑に行うことができる。
【００６９】
図１２および図１３は、本実施形態の運転支援装置における表示例を表す概略図である。
【００７０】
上述した運転支援装置では、警報窓１０１における点灯部１０１ａの点灯に基づき表示上の点灯部１０１ａを選択可能にするが、その他にも撮像部１で撮像した映像に基づき記憶部４から情報を読み出して表示部２に表示させることが可能である。
【００７１】
例えば、プラント設備内の複数の検出器により検出された検出結果は、図１２に示すように制御盤１００に設置された検出窓１０２に示される。検出器には、例えば、圧力計があり、検出窓１０２は圧力計の圧力が指針により示される。そして、検出窓１０２の近辺には、例えば、二次元バーコードなどである基準位置印１０２ｂ（位置検出部であってもよい）が設けられている。
【００７２】
運転支援装置は、図３に示す構成であり、上述したように撮像部１と、表示部２と、操作部３と、記憶部４と、制御部５と、を備える。また、運転支援装置は、ドライブ装置８を備えていてもよい。
【００７３】
記憶部４は、各検出窓１０２に対応する検出部の設置位置情報や、検出部の設計情報が予め記憶されている。設置位置情報は、プラント設備内に検出部が設置されている位置が明示された設置位置図１５（図１３参照）であり、設計情報は、検出部の設計書１６（図１３参照）である。
【００７４】
そして、制御部５は、図１２に示すように、撮像部１により撮像された検出窓１０２を表示部２に表示する。また、制御部５は、図１２に示すように、検出窓１０２と共に撮像部１に撮像された基準位置印１０２ｂから、検出窓１０２を特定する。また、制御部５は、検出窓１０２の表示上の位置を選択可能とする。検出窓１０２の表示上の位置を選択可能とする場合、例えば、図１２に示すように、検出窓１０２の表示上の位置に検出窓１０２を囲むように指標である枠を表示する。指標は枠に限らない。また、制御部５は、検出窓１０２の指標が操作部３により選択された場合（例えば、図１２に示す中央の検出窓１０２）、図１３に示すように、選択された検出窓１０２に対応する検出部の設置位置図１５および設計書１６を記憶部４から読み出して表示部２に表示する。なお、表示部２に表示された設置位置図１５および設計書１６は、図１３に示す取消ボタン１５ａ，１６ａを操作部３により選択することで消して図１２に示す表示状態に戻すことができる。
【００７５】
このように、本実施形態の運転支援装置は、検出窓１０２を撮像部１により撮像した映像を表示部２に表示させ、当該表示部２に表示されている検出窓１０２を操作部３により選択された場合、選択された検出窓１０２に対応する設置位置図１５および設計書１６を表示部２に表示する。
【００７６】
この運転支援装置によれば、プラント設備に設置された検出窓１０２に対応する検出部の情報を容易に取得することができる。この結果、検出窓１０２に対応する検出部の情報を確認することができ、プラント設備の運転の支援を円滑に行うことができる。なお、ここでも、上述した固定ボタン１２により検出窓１０２の表示、および検出窓１０２の表示上の指標を固定することができる。また、ここでも、設置位置図１５および設計書１６への表示上での入力、および保存を行うことができる。
【００７７】
ところで、上述した運転支援装置は、その構成が可搬式端末として一体であることが好ましい。従って、装置を可搬して使用することで、制御室内を移動しつつプラント設備の運転の支援を行うことができる。
【００７８】
なお、上述の実施形態においては、運転支援装置がプラント設備に適用されることとした。運転支援装置は、プラント設備のみならず、例えば、原子力以外の油田やガス田のプラント、高速道路または鉄道のような交通監視設備、船舶の制御設備、またはマンション管理施設または商業施設のような建物管理設備など、様々な適用対象に適用されてもよい。そして、このような様々な設備における管理に用いられる警報窓の点灯部が点灯した場合に、撮像部により警報窓を撮像した表示上にて点灯部の位置を選択し、選択した点灯部に対応する項目の手順情報を表示部に表示させる。例えば、交通監視設備では、高速道路などの経路図に対して渋滞や事故などを示す点灯部があり、経路図を撮像して点灯部の位置を表示上で選択することで渋滞や事故などに対応する手順情報としてのマニュアルを表示することができる。また、船舶の制御設備では、制御盤に対して異常を示す点灯部があり、制御盤を撮像して点灯部の位置を表示上で選択することで異常に対応する手順情報としてのマニュアルを表示することができる。また、建物管理設備では、火災報知やエレベータの稼働状況を表す監視盤に対して異常を示す点灯部があり、監視盤を撮像して点灯部の位置を表示上で選択することで異常に対応する手順情報としてのマニュアルを表示することができる。これにより、警報窓において点灯した点灯部に対応する情報を迅速に取得することができ、設備の運転の支援をより円滑に行うことができる。
【００７９】
なお、運転支援装置で実行されるプログラムについて、実際のハードウェアとしては、制御部５が記憶部４のＲＯＭからプログラムを読み出して実行することにより、上記各部のうち１または複数の部が記憶部４のＲＡＭ上にロードされ、１または複数の各部が記憶部４のＲＡＭ上に生成されるようになっている。このように、上述した実施形態で説明した処理は、コンピュータに実行させるためのプログラムとして実現されてもよい。このプログラムをサーバなどからインストールしてコンピュータに実行させることで、前述した処理を実現することができる。また、このプログラムを記録媒体９に記録し、このプログラムが記録された記録媒体９をコンピュータに読み取らせて、前述した処理を実現させることも可能である。なお、以上、実施形態について詳述したが、上記実施形態に限定されるものではなく、請求の範囲に記載された範囲内において、上記実施形態以外にも種々の変形及び変更が可能である。
【符号の説明】
【００８０】
１  撮像部
２  表示部
３  操作部
４  記憶部
５  制御部
６  音声入力部
１１  手順書（手順情報）
１１ａ  取消ボタン
１２  固定ボタン
１３  保存ボタン
１４  事象ボタン
１００  制御盤
１０１  警報窓
１０１ａ  点灯部
１０１ｂ  基準位置印
【図１】
2016189954.tif 000003
【図２】
2016189954.tif 000004
【図３】
2016189954.tif 000005
【図４】
2016189954.tif 000006
【図５】
2016189954.tif 000007
【図６】
2016189954.tif 000008
【図７】
2016189954.tif 000009
【図８】
2016189954.tif 000010
【図９】
2016189954.tif 000011
【図１０】
2016189954.tif 000012
【図１１】
2016189954.tif 000013
【図１２】
2016189954.tif 000014
【図１３】
2016189954.tif 000015
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
撮像部と、
表示部と、
前記表示部における表示に付随して操作を行う操作部と、
複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶される記憶部と、
前記撮像部により撮像された前記警報窓を前記表示部に表示すると共に、点灯している前記点灯部の前記表示部における表示上の位置を選択可能とし、前記操作部により点灯している前記点灯部の表示上の位置が選択された場合に当該点灯部に対応する前記項目の手順情報を前記記憶部から読み出して前記表示部に表示する制御部と、
を備える、運転支援装置。
【請求項２】
前記制御部は、前記操作部の操作に基づき、前記表示部における前記撮像部により撮像した前記警報窓の表示、および点灯している前記点灯部の表示上の位置の選択を固定する、請求項１に記載の運転支援装置。
【請求項３】
前記制御部は、前記操作部の操作により前記表示部に表示された前記手順情報への表示上の入力を可能とし、当該入力情報を前記記憶部に記憶する、請求項１または２に記載の運転支援装置。
【請求項４】
音声入力部をさらに備え、
前記制御部は、点灯した前記点灯部に対応する称呼を前記音声入力部により入力した場合、当該点灯部に対応する前記項目の手順情報を前記記憶部から読み出して前記表示部に表示する、請求項１から３のいずれか１つに記載の運転支援装置。
【請求項５】
前記警報窓における前記点灯部の点灯の複数の配置パターン、各前記配置パターンに対応する各事象、および各前記事象に対応する各事象手順情報が前記記憶部に予め記憶されており、
前記制御部は、前記撮像部により撮像した前記警報窓における前記点灯部の点灯の配置パターンと、前記操作部の操作に基づき選択された配置パターンとが一致した場合、前記配置パターンの事象に対応する事象手順情報を前記記憶部から読み出して前記表示部に表示する、請求項１から４のいずれか１つに記載の運転支援装置。
【請求項６】
前記警報窓における前記点灯部の点灯の複数の配置パターンに対応する各事象、および各前記事象に対応する各事象手順情報が前記記憶部に予め記憶されており、
前記制御部は、前記警報窓における前記点灯部の点灯の配置パターンから当該配置パターンに対応する事象を判定し、判定された事象に対応する事象手順情報を前記記憶部から読み出して前記表示部に表示する、請求項１から４のいずれか１つに記載の運転支援装置。
【請求項７】
前記警報窓の近傍に基準位置印が設けられており、
前記制御部は、前記撮像部により撮像された基準位置印に基づき前記警報窓を特定し、当該警報窓における前記点灯部の表示上の位置を選択可能とする、請求項１から６のいずれか１つに記載の運転支援装置。
【請求項８】
前記警報窓と前記撮像部との相互位置を検出する位置検出部をさらに備え、
前記制御部は、前記位置検出部による相互位置の検出に基づき前記警報窓を特定し、当該警報窓における前記点灯部の表示上の位置を選択可能とする、請求項１から６のいずれか１つに記載の運転支援装置。
【請求項９】
可搬式端末として一体であることを特徴とする、請求項１から８のいずれか１つに記載の運転支援装置。
【請求項１０】
前記表示部は、前記操作部を一体としたタッチパネルである、請求項１から９のいずれか１つに記載の運転支援装置。
【請求項１１】
複数の項目の警報を点灯により表す複数の点灯部を有する警報窓について各前記点灯部の配置と各前記項目とを関連付けた位置情報、および各前記点灯部に対応する各前記項目の対応手順である手順情報が予め記憶部に記憶されており、
撮像部により撮像された前記警報窓を表示部に表示することと、
前記点灯部の前記表示部における表示上の位置を選択可能とし、点灯している前記点灯部の表示上の位置が選択された場合に当該点灯部に対応する前記項目の手順情報を前記記憶部から読み出して前記表示部に表示することと、
を含む、運転支援方法。
【国際調査報告】
2016189954.tif 000016
2016189954.tif 000017